(57)【要約】【解決手段】  本発明の主題は、オーガナイザシステム（２）を形成している表面部材（３）を有するストレージデバイス（１）である。表面部材（３）は、複数のバッグ部材（５，７，８）及び／又は受け入れ器具（６）を有し、受け入れ器具（６）は、表面部材（３）の面（４）上でそれぞれ規定された位置に配置されたバッグ部材（７）又は機能部材を受け入れるためのものである。ここで、特定の機能を有する内容物（１６）にはそれぞれ１つのバッグ部材（５，７，８）が割り当てられ、バッグ部材（５，７，８）の内容物（１６）は、常時携行されるべき必須アイテムを含むユーザのための基本装備を代表し、表面部材（３）は、限定可能な機能に対してラゲッジ（２１，２２）の少なくとも１ピース又は衣類（２３）のアイテムにおいて、ストレージデバイス（１）の対応部としての旅行用又は日常用部分において、随意的な使用のために移行可能に具現化され、保持器具（２４）によってそこに固定的に取り付け可能である。ラゲッジ（２１，２２）の少なくとも２ピースと少なくとも１つのそのようなストレージ器具を有するラゲッジシステムが更に提供される。【選択図】図５
2018520751.tif 000002
【特許請求の範囲】
【請求項１】
オーガナイザシステム（２）を形成する表面部材（３）を有するストレージデバイス（１）であって、前記表面部材（３）が、複数のバッグ部材（５，７，８）及び／又は受け入れ器具（６）を有し、前記受け入れ器具（６）が、前記表面部材（３）の面（４）上でそれぞれ規定された位置に配置されたバッグ部材（７）又は機能部材を受け入れるためのものであり、
特定の機能を有する内容物（１６）にはそれぞれ１つのバッグ部材（５，７，８）が割り当てられ、前記バッグ部材（５，７，８）の内容物（１６）が、常時携行されるべき必須アイテムを含むユーザのための基本装備を代表し、前記表面部材（３）が、限定可能な機能に対してラゲッジ（２１，２２）の少なくとも１ピース又は衣類（２３）のアイテムにおいて、前記ストレージデバイス（１）の対応部としての旅行用又は日常用部分において、随意的な使用のために移行可能に具現化され、保持器具（２４）によってそこに固定的に取り付け可能であることを特徴とするストレージデバイス。
【請求項２】
前記機能が、携帯電話、クレジットカード、デビットカード、入場カード、身分証明書類、現金、キー、ペン、光学製品、医薬品、及び化粧品のためのストレージの少なくとも１つの領域から選択されることを特徴とする請求項１に記載のストレージデバイス。
【請求項３】
前記バッグ部材（５，７，８）が、前記内容物（１６）が前記バッグ部材（５，７，８）の取出し用開口（３６，３７）から落下したり盗難されたりすることのないように前記内容物（１６）を固定するための閉鎖器具（１９）を有し、前記取出し用開口（３６，３７）が、前記ストレージデバイス（１）の内部で前記閉鎖器具（９，１９，４２）が閉じた状態で垂直に、水平に、又は横方向に方位付けられており、前記閉鎖器具（９，１９，４２）が、好ましくは押しボタン接続、ベルクロ（登録商標）型接続、ラッチ接続、フック若しくはジッパー接続、スナップイン接続、特にクリップ接続、又は磁石接続として具現化されることを特徴とする請求項１又は２に記載のストレージデバイス。
【請求項４】
前記保持器具（２４）が、関連する保持手段（２５，２６）との押しボタン接続、ベルクロ（登録商標）型接続、ラッチ接続、フック接続、スナップイン接続、特にクリップ接続、又は磁石接続として具現化されることを特徴とする請求項１〜３のいずれかに記載のストレージデバイス。
【請求項５】
前記表面部材（３）が、柔軟な単層又は多層材料から作られ、特に皮革又は繊維製品から作られることを特徴とする請求項１〜４のいずれかに記載のストレージデバイス。
【請求項６】
パック済みの前記表面部材（３）の寸法決めに関して、前記保持器具（２４）が、少なくとも１つの保持手段（２５，２６）と共に、パック済みの前記表面部材（３）の下縁（３３）と前記表面部材（３）を受け入れる前記ラゲッジ（２１，２２）のピースの底部領域（２７）とが少なくとも略同一平面となり又は前記底部領域（２７）にパック済みの前記表面部材（３）が接触しない程度に、特に前記底部領域（２７）から外に向いている縁領域（２８）において、前記底部領域（２７）から離れて配置されることを特徴とする請求項１〜５のいずれかに記載のストレージデバイス。
【請求項７】
前記保持器具（２４）が、２つの保持手段（２６）を最大限に作動させることによって前記表面部材（３）がパック済みの状態で移行され得るように設計されることを特徴とする請求項１〜６のいずれかに記載のストレージデバイス。
【請求項８】
前記保持器具（２４）には、前記表面部材（３）を前記ラゲッジ（２１，２２）のそれぞれのピース又は前記衣類のアイテムに取り付けるための閉鎖具を形成する保持手段（２５，２６）が形成されることを特徴とする請求項１〜７のいずれかに記載のストレージデバイス。
【請求項９】
折り畳むことにより前記表面部材（３）が別個のバッグ（３５）、特にクラッチに変わることができ、前記別個のバッグ（３５）が、好ましくはその側部（３１，３２）で前記表面部材（３）の上縁（３０）に向かって開いていることを特徴とする請求項１〜８のいずれかに記載のストレージデバイス。
【請求項１０】
前記バッグ部材（５，７，８）が、それらの取り出し用開口及び閉鎖器具（９，１９，４２）と共に、前記表面部材（３）の折り畳まれた状態においても、特に前記表面部材（３）がクラッチ（３５）内へと折り畳まれた状態においても、前記バッグ部材（５，７，８）の内容物（１６）へのアクセス性が前記表面部材（３）の両側から確保されるように設計されることを特徴とする請求項１〜９のいずれかに記載のストレージデバイス。
【請求項１１】
前記バッグ部材（７）の少なくとも１つが、少なくとも１つのリボン（１７）を有するアクセス器具（２０）と共に具現化され、前記バッグ部材（７）には互いに反対側に配置されて内部空間（１５）を定める少なくとも１つの第１の壁及び１つの第２の壁（１０，１１）が形成され、前記壁（１０，１１）が、少なくとも底部領域（１２）を介して互いに接続され、前記リボン（１７）が、前記底部領域（１２）の上方で前記壁の１つ（１０）に取り付けられ、且つ自由端（１７Ａ）と共に前記底部領域（１２）の上方の反対壁（１１）における開口（４０）を介して前記内部空間（１５）から外に案内され、前記リボン（１７）の長さ及び案内が、前記リボン（１７）を前記内部空間（１５）から動かしたときに、その内部に位置し且つ前記リボン（１７）によって把持される内容物（１６）が前記底部領域（１２）から離間するように動かされるべく設計されることを特徴とする請求項１〜１０のいずれかに記載のストレージデバイス。
【請求項１２】
前記表面部材（３）が、前記リボン（１７）と共に作用する保持部材を有していることを特徴とする請求項１１に記載のストレージデバイス。
【請求項１３】
前記バッグ部材（７）を前記表面部材（３）に固定的に取り付ける前記受け入れ器具（６）が、ループストラップと保持部材としての閉鎖器具（１９）のラグ又は閉鎖部材（４１）とを有し、特に前記ループストラップが、２つの材料スリット（３８，３９）によって前記表面部材（３）に形成されることを特徴とする請求項１〜１２のいずれかに記載のストレージデバイス。
【請求項１４】
前記ラゲッジ（２１，２２）のピースが、バッグ、特に旅行用バッグ、スポーツバッグ、ブリーフケース、ショッピングバッグ、ハンドバッグ、スーツケース、又はバックパックにより具現化されることを特徴とする請求項１〜１３のいずれかに記載のストレージデバイス。
【請求項１５】
前記衣類（２３）のアイテムがジャケット又はコートにより具現化されることを特徴とする請求項１〜１４のいずれかに記載のストレージデバイス。
【請求項１６】
ラゲッジ（２１，２２）の少なくとも２ピースと請求項１〜１５のいずれかに記載の少なくとも１つのストレージデバイス（１）とを有するラゲッジシステムであって、
前記表面部材（３）を前記ラゲッジ（２１，２２）のそれぞれのピースに取り付けるための前記保持器具（２４）が、前記ラゲッジ（２１，２２）の全てのピースにおいて前記ラゲッジ（２１，２２）のピースの底部領域（２７）から同じ距離で配置され、前記表面部材（３）が、その底縁（３３）と共に前記底部領域（２７）と少なくとも略同一平面となることを特徴とするラゲッジシステム。
【発明の詳細な説明】
【技術分野】
【０００１】
本発明は、請求項１の包括的用語においてより厳密に定義されるような種類に従うオーガナイザシステムを形成する表面部材を有するストレージデバイス、及びそのようなストレージデバイスを有するラゲッジシステムに関する。
【背景技術】
【０００２】
バッグ等のストレージデバイス又はラゲッジシステムの分野においては、コンパートメントやバッグ内にアイテムが収納された状態では、それらのアイテムを見つけたり手で取り出すのが難しいほど深くにそれらがそれぞれのバッグ部材内に受け入れられているために、それらにアクセスするのが困難であるという問題が実際上しばしば発生する。
【０００３】
複数のアイテムがバッグ部材の内部に配置される場合、通常、純粋に指の感覚で所望の目的物を識別し、それをバッグ部材の底に位置する可能性が高い複数のアイテムとは別に取り出すことが必要である。従って、バッグ部材の全内部空間がしばしば空にされ、もしそれが可能であっても、バッグ部材に接続されたラゲッジのそれほど大きくないピースをひっくり返す必要があるとすれば、このことは、ラゲッジの他のピースの内容物が混乱した状態になることを意味する。ここで、実際には、ユーザが常時携行することを望むユーザのためのある種の「必須キット」又は基本装備を代表する特定のアイテムが、とりわけ頻繁にバッグの中で１つ１つ探され、異なるバッグ間で詰めなおされることが示されてきた。
【０００４】
バッグ内容物の特定のアイテムを探してそれらにアクセスするのを容易にするための様々な解決策が提案されてきた。
【０００５】
米国特許出願公開２００９／００８４４７５Ａ１には、個人用アイテムのためのオーガナイザバッグが記載されており、このオーガナイザバッグは、別個のバッグとして受け入れられ、あるいはバックパック、ハンドバッグ、トートバッグ等の異なる他の運搬アイテム内部のコンパートメントとして受け入れられ、紛失しないようにそれらに例えば磁気ホルダによって固定することができる。オーガナイザバッグの内部には、例えばクレジットカードコンパートメント、ジップバッグ、オープンバッグ、ペンホルダ、キーリングホルダ又は取り外し可能な小型バッグを有する収納器具を種々具現化したものを設けることができる。
【０００６】
ここでの不都合は、バッグの基本的な問題が依然として残っていることであり、即ちオーガナイズされていないアイテム又はバッグの識別困難な内部空間内の別個の容器内に含まれるアイテムを通して探すことの問題である。ここでの追加的な不都合は、殆どのバッグインバッグシステムにおけるのと同様に、内側バッグが外側バッグの底に配置され、他の物のための空間を奪うことである。
【０００７】
更に、この公知の解決策は、ユーザが常時携行を望む必須アイテムを特定のバッグ部材に割り当てるのが不十分になるという問題を伴い、その結果、バッグが変更された場合には、ユーザは、ユーザが必要としないことが多い幾つかの物も運搬してしまう。
【０００８】
この問題は、例えば、米国特許８，２２５，８２９Ｂ２に開示されるハンドバッグ又は他の可搬型バッグのためのオーガナイジングデバイス又はオーガナイザにも存在する。それらは別個のバッグとして独立して使用することもできる内部バッグを代表するからである。ここでは、特に、壁の少なくとも１つが、オーガナイジングデバイスの内容物を保護するように堅牢に又は硬く具現化されていることが前提となる。
【０００９】
欧州特許出願公開２６８９６８４Ａ１では、互いに折り畳み可能に接続された２つ又は３つの板状表面を有するオーガナイザシステムを備えたハンドバッグが提案されている。表面の内側には、特に、眼鏡、キー及び携帯電話用の種々のホルダ及び／又はバッグが設けられている。ホルダは、スナップイン又は押しボタン式ファスナを介して内面に取り付けることができる。
【００１０】
不都合なことに、バッグを交換することを望む場合、ここでは、オーガナイザシステムの内容物を別のバッグ、例えばハンドバッグからスーツケース又はスポーツバッグにそれぞれ移す必要がある。そのような詰め替えはそれ自体時間がかかり、またバッグを使用する人が向きなおることを必要とし、実際にはバッグ内の特定のアイテムを探すのに多くの時間が必要となることが多い。
【００１１】
米国特許出願公開２００７／００４４８７７Ａにも、モジュール式オーガナイザシステムを有するトートバッグが開示されており、ここでは、複数の別個の内側バッグが、トートバッグの直立した位置に対して水平な方向に互いに背後に配置され、互いに接続されている。従って、この公知の解決策もまたバッグインバッグシステムを代表し、触覚的に覚え易い手順なしで配置された別個の内部バッグ内での探索の問題がユーザにもたらされ、この場合、内部バッグは不都合なことにトートバッグの底のかなりの空間を占めてしまう。
【００１２】
更に、取り外し可能なツールホルダを有するバックサポートストラップが米国特許第５，５０５，３５６号により公知である。
【発明の概要】
【発明が解決しようとする課題】
【００１３】
従って、本発明の目的は、オーガナイザシステムを形成する表面部材を有するストレージデバイス及びそのようなストレージデバイスを有するラゲッジシステムであって、高いユーザ快適性及びユーザに対する高い柔軟性がもたらされ且つ異なる種類のラゲッジを用いる際にパッキング及び特定のアイテムを探すことに時間を費やさないストレージデバイス及びラゲッジシステムを創出することである。
【課題を解決するための手段】
【００１４】
この目的は、請求項１の示された部分の特徴に従うストレージデバイス又は請求項１６の特徴に従うラゲッジシステムによって解決される。
【００１５】
従って、本発明は、オーガナイザシステムを形成する表面部材を有するストレージデバイスであって、表面部材が、複数のバッグ部材及び／又は受け入れデバイスを有し、受け入れデバイスが、表面部材の一方の面上でそれぞれ規定された位置に配置されたバッグ部材又は機能部材を受け入れるためのものであるストレージデバイスを提供する。ここで、本発明に従うと、特定の機能を有する内容物にはそれぞれ１つのバッグ部材が割り当てられ、この場合、バッグ部材の内容物は、常時携行されるべき必須アイテムを含むユーザのための基本装備を代表し、表面部材は、限定可能な機能に対してラゲッジの少なくとも１ピース又は衣類のアイテムにおいて、ストレージデバイスの対応部としての旅行用又は日常用部分において、随意的な使用のために移行可能に具現化され、保持器具によって固定的に取り付け可能である。
【発明の効果】
【００１６】
本発明に係るストレージデバイスは、オーガナイザシステムの利点とモジュール式バッグシステムの利点とを組み合わせる。
【００１７】
複数のバッグ部材及び／又はバッグ部材若しくは機能部材を受け入れるための複数の受け入れ器具を設けることによって、それぞれの機能、日常用又は旅行用の部分のために常時携行されるべきユーザのための必須アイテムを、特別に寸法決めされ且つ例えば保護の必要性を考慮して設計されたバッグ部材又はコンパートメント内に、明確にオーガナイズされた方法で配置することができる。その中にそれぞれ収納されたアイテムは、常に所定の位置にあり、迅速に見つけることができる。
【００１８】
更に、本発明では、異なる種類のラゲッジの他のピース又は衣類の他のアイテムとの適合性が有利な方法で創出される。例えば単一の目的物のためのスリーブ、即ち財布、キーバッグ又は光学アイテム、化粧アイテム若しくは医薬アイテムのための小バッグ等の個別のバッグ部材は、取り外し可能な又は恒久的な方法で可変の配置において時間を費やすことなく表面部材に取り付けることができ、それらは、簡単な方法で一緒に配置することができ、また場合によってはより大きな別のラゲッジのピース又は衣類のアイテム内に１ステップだけで配置することができる。唯一の前提条件は、他のラゲッジのピース又は衣類のアイテムが、適切な受け入れ能力、及び表面部材と共に作用する保持手段を有していることである。これは、特に特定の業者によるバッグ及び衣類のアイテムにおいて、又は同じ種類の取り付け機構をそれぞれ備えた特定のシステムのバッグ及びアイテムにおいて容易に実現することができる。
【００１９】
そのような更なるラゲッジのピースは、任意の種類のバッグであってよく、特にそれぞれローラの有無にかかわらず、トラベルバッグ、スポーツバッグ、ブリーフケース、ショッピングバッグ、ハンドバッグやクラッチ、スーツケース、又はバックパックであってよい。
【００２０】
本発明の有利な実施形態においては、一般に小さな深さによって特徴付けられる表面部材それ自体も、折り畳むことによって別個のバッグに変えることができる。ユーザのための基本装備を有するそのような別個のバッグは、その側部で表面部材の上縁に向かって開くクラッチ、あるいはストラップ又はハンドルを有するハンドバッグであってよい。
【００２１】
衣類のピースとの組み合わせの選択肢も同様に広く、特に衣類はジャケット又はコートであってよい。
【００２２】
特に、旅行時あるいは例えば仕事、レストラン、スポーツ、旅行等に対応して調整された外観を必要とする頻繁に変化する状況の場合、多くの場合に必要なアイテムを明確に配置し迅速に詰め替えるための時間が非常に重要である。詰め替えなしに別のストレージ容器の中にバッグの内容物を収容することが可能であるおかげで、本発明に係るストレージデバイスは、ユーザの快適性をかなり高める。
【００２３】
明確な配置が達成される場合、それぞれ１つのバッグ部材が特定の機能の内容物に割り当てられるという本発明の利点が得られる。ここで、パック済みの表面部材を基本装備として常時携行することを望むユーザの基本的なニーズに合わせて、機能を調整することが望ましい。
【００２４】
従って、提供されたバッグ部材の機能が、携帯電話、クレジットカード、デビットカード、入場カード、身分証明書類、現金、キー、ペン、及び光学製品、医薬品又は化粧品のためのストレージの１つ又は複数の領域からそれぞれ選択されるとすれば、有利である。光学製品、医薬品又は化粧品に対しては、例えば、小バッグが好適であり、小バッグは、ユーザの個々の必要性に応じて、例えば眼鏡又は医薬品のように必要に応じて携行しなければならないアイテムで満たすことができる。ペンは、単純なループストラップによって、例えば折り畳みのために設けられる表面部材の中央領域に簡単に配置することができる。更に、キーポーチとして形成されるバッグ部材は、キーリングと共に設計することができる。
【００２５】
機能の割り当ては、寸法決め及び幾何学的設計によって予め規定されてよく、あるいはユーザが決定することもでき、この場合、ユーザの個々のニーズに対して柔軟性が確保されるように多機能性が提供されてもよい。
【００２６】
従って、パック済みの表面部材が例えばラゲッジのライン又は特定のブランドの衣類内に移されたとしても、各所望の機能に対する個々のバッグ部材の配置は依然として可能であり、ユーザは、特定のアイテムを表面部材の同じ場所で常に見つけることができる。
【００２７】
適切なサイズの表面部材を前提とすれば、例えばタブレットコンピュータ、静止物、衣類等の更なるアイテムのためのバッグ部材で表面部材を満たすことももちろん考えられる。しかし、収納可能性及び移行性はサイズの増大で限定される。
【００２８】
オーガナイザシステムが非常に平坦である実施形態の場合、即ち表面部材の面に垂直な深さが小さい場合、ストレージの前述の領域の機能部材のための全てのバッグ部材及び受け入れ領域は、表面部材の一方の側に配置することができ、その結果、それらがラゲッジのピース又は衣類のアイテムの壁に取り付けられているとすれば、非常に良好なアクセス性が得られる。
【００２９】
バッグ部材は、それ自体が別個の閉鎖可能なスリーブとすることができ、スリーブは、取り外し可能又は恒久的に表面部材に接続されいてよい。また、特に文書又は他の薄いアイテムを受け入れるための、表面部材の複数の層の間のバッグ部材も考えられる。
【００３０】
しかし、特に、表面部材を別個のクラッチ又はハンドバッグに変えることができる場合には、例えばクレジットカード又は入場カードのための更なるバッグ部材又は受け入れ領域は、必須バッグ部材を有する主面から外に向いている表面部材の側であって、ラゲッジのピースの壁に取り付けられたときにはアクセスすることができない表面部材の側に設けることができる。それらは、例えばジッパー又は他の適切な閉鎖手段によって閉じることができ、またクラッチ又はハンドバッグの外側に配置されたときに折り畳まれた状態で特に容易にアクセスすることができる。
【００３１】
必須バッグ部材を有する主面から外に向いている表面部材の側には、主面側からもアクセスすることができるバッグ部材のための例えばジッパー等の閉鎖手段を設けることもでき、その結果、クラッチ内へと閉じられた表面部材内の両側から、内容物に容易にアクセスすることができる。
【００３２】
バッグ部材の取り出し用開口が最も変化した配置を維持し、受け入れたアイテムを保護するために、内容物がバッグ部材の取出し用開口から落下したり盗難されたりすることのないように内容物を固定するための閉鎖器具をバッグ部材が有していると有利である。従って、このような閉鎖器具により、特に開いたバッグにおいて、例えばバッグ内に配置されたユーザの対応して重要な基本装備のためのストレージデバイスを有するショッピングバッグ等において、盗難に対する効果的な保護を提供することもできる。
【００３３】
バッグ部材内の内容物が対応して固定される場合、取り出し用開口は、閉鎖器具を閉じた状態において、ストレージデバイス内で垂直に、水平に、又は横方向に位置決めすることができる。このようにして、表面部材がクラッチ内へと折り畳まれた場合等の「上下逆」の配置においても、表面部材と共に作用する別の受け入れ部材にて又はその内部にて、バッグ部材の任意の所望の配置が可能である。
【００３４】
原理的には、閉鎖器具は、ラゲッジ又は衣類のピースにおいて知られている任意の種類のロックによって具現化することができる。押しボタン接続は、取り扱いに関して最も容易であり、確実な取り付けと高い信頼性を同時に保証する。しかし、適用事例によっては、ベルクロ（登録商標）型接続、従来のインサート・ツイスト部材を含むラッチ接続、通過孔接続、又はボタン・ボタン孔接続、既知のジッパーシステムを含むフック接続、スナップイン接続、特にクリップ接続、又は磁石接続も有利であろう。
【００３５】
閉鎖器具に関して述べた閉鎖具タイプに関する同じ多様性が、表面部材をラゲッジのピース又は衣類のアイテムに取り付けることができるタイプの保持器具の閉鎖具に与えられてもよい。この場合にもまた、盗難に対する安全性の向上の利点が極めて重要である。これがないと、ユーザはユーザにとって必須なアイテムを紛失する可能性があるからである。
【００３６】
本発明の望ましい実施形態においては、表面部材は柔軟な材料、特に皮革又は繊維製品で作られる。原理的には、実質的に剛性を有する表面部材の実施形態も考えられる。しかし、柔軟な材料により、表面部材の適用上の柔軟性が高められる。
【００３７】
更に、パック済みの表面部材の寸法決めに関しては、表面部材の下縁と表面部材を受け入れるラゲッジのピースの底部領域とが少なくとも略同一平面となる程度に、保持器具が少なくとも１つの保持手段と共に底部領域から離れて配置されれば有利であり、この場合、表面部材は、ラゲッジのピース又はバッグの安定性を支持し、あるいは底部領域にパック済みの表面部材は接触しない。例えば、表面部材は、その上縁と共に、底部領域から外に向いているラゲッジのピースの上縁領域に配置することができる。このようにして、バッグ部材及び機能部材への容易なアクセス性が表面部材で確保され、明確な配置やアクセス性を損ない体積を増やしてしまう、ラゲッジのピースの底部でのパック済み表面部材の部分部分の絡まりが形成されたり収納されることが回避される。従って、パック済みの表面部材がスリム化された実施形態の結果、ラゲッジのピースの底部領域の使い勝手は、他のアイテムに対して制限されない。
【００３８】
特に取り扱いが容易な実施形態においては、保持器具は、２つの保持手段、例えば２つの通過孔ターンロック部材を最大限に作動させることによって、表面部材がパック済みの状態で移行可能になるように設計することができる。
【００３９】
このように、表面部材をそれぞれのラゲッジのピース又は衣類のアイテムに取り付けるための保持器具の保持手段は、有利には閉鎖具を形成することができ、表面部材に配置されたバッグとユーザにとって必須な内容物とを含む表面部材全体は、盗難からより安全に保護される。
【００４０】
ユーザにとってのオーガナイザシステムの利便性は、それぞれ最も迅速で最も単純なアクセスタイプがそれぞれのバッグ部材に使用される場合に更に増大する。
【００４１】
ここで、少なくとも１つのリボンを有するアクセス器具がバッグ部材の少なくとも１つに形成されていれば好都合であり、この場合、バッグ部材には互いに反対側に配置されて内部空間を定める少なくとも第１及び第２の壁が形成され、これらの壁は少なくとも底部領域を介して互いに接続され、この場合、リボンは、底部領域の上方で壁の１つに取り付けられ且つ自由端と共に底部領域の上方の反対壁における開口を介して内部空間から外に案内され、この場合、リボンの長さ及び案内は、リボンを内部空間から動かすにつれて、その内部に位置する内容物がリボンによって把持されて底部領域から離間するように動かされるべく設計される。
【００４２】
アクセス器具の持ち上げ機構を介して、バッグ部材の内容物は、リボンを引くことによって簡単に内部空間から押し出すことができる。これにより、例えばクレジットカード、携帯電話、化粧品等のバッグ部材内の種々のアイテムへのアクセスが容易になる。内容物が内部空間内に押し込まれると、リボンも自動的に内部空間内に押し込まれるので、リボンは、閉鎖器具によってバッグ部材の内容物が抜け出さないようにこれを保護し、従って内容物はそのそれぞれの位置に安全に収容される。
【００４３】
非常に単純な実施形態においては、第１及び第２の壁は、底部領域及び２つの側面において、単純に縫い合わされ、リベット留めされ、又は接合され得る。より大きな又は複数のアイテムを受け入れるために、バッグ部材には、対応して広い側壁を形成することもでき、これらの側壁は、側壁よりも大きな表面をそれぞれ有する第１及び第２の壁の間に位置する。バッグ部材の底部領域についても同様であり、この底部領域は、適用事例に応じて継ぎ目又は底壁と共に具現化することができる。
【００４４】
閉鎖器具を閉じた状態では、対応するアクセス器具のリボンは、底部区域と反対側のバッグ部材の取り出し用開口を介して第１の壁と第２の壁の間で案内されて、内容物が抜け出さないようにこれを固定することができる。ここで、自由リボン端部は、閉鎖部材を有することができる。
【００４５】
便宜的な実施形態においては、表面部材にそれぞれのバッグ部材を固定的に取り付ける受け入れ器具は、特にリボンと共に保持部材として作用するループストラップを有することができ、ループストラップは、例えば表面部材内の２つの材料スリットにより形成される。保持部材としては、閉鎖器具のラグ又は閉鎖部材、例えば押しボタン部と共にリボンの自由端で作用するカウンタ部材も考えられる。
【００４６】
本発明の有利な実施形態によれば、リボンは、バッグ部材の第１及び第２の壁よりも柔軟な材料、特に第１及び第２の壁よりも薄い材料で作ることができる。従って、壁は、例えば、バッグ部材を強化する厚い皮革で設計されてよく、リボンは、より薄くて容易に曲げられる皮革片で作ることができる。原理的には、リボンは、バッグ部材の他の部材とは異なる材料で設計することもでき、例えば弾性ゴムバンドであってよい。
【００４７】
幅寸法に関しては、有利な実施形態においては、それぞれの内容物をよりよく把持することができるようにするために、リボンは、その領域内に、底部に面している拡張部を有することができる。ここで、底部領域に面しているリボンの領域が補強されている場合、又はある種のボウル(bowl)に設計されている場合にも有利であり得る。ここで、リボンは中断されていてもよく、その中断点で異なる材料のシェル部材に接続することができる。
【００４８】
特に、より大きなアイテムを受け入れるためのバッグ部材においては、リボンは、内部空間内の内容物を下方から把持するための少なくとも１つの別のリボンに接続することができ、この場合、リボンは、バッグ部材における２つの取り付け点を有する三角形リボンを形成することができる。
【００４９】
ラゲッジの少なくとも２ピースと本発明に係る少なくとも１つのストレージデバイスとを有するラゲッジシステムであって、表面部材をラゲッジのそれぞれのピースに取り付けるための保持器具が、ラゲッジの各ピースにおいてラゲッジのピースの底部領域から同じ距離で配置され、その結果、表面部材がその底縁と共に底部領域と少なくとも略同一平面となっているラゲッジシステムは、モジュール式システムにおける前述した利点を組み合わせて、ユーザは、常に、ユーザにとって必須の部材を、現在必要とされているラゲッジのピース内へ単一動作で詰め替えることができる。
【００５０】
特許請求の範囲において特定される特徴及び本発明に係るストレージデバイスの以下の例示的な実施形態において特定される特徴は、それら自体において又は本発明に係る主題を具現化するためのそれらの任意の組み合わせにおいてそれぞれ好適である。
【００５１】
本発明に係るストレージデバイス及びラゲッジシステムの更なる利点及び有利な実施形態は、特許請求の範囲及び図面を参照して以下に原理的に説明される例示的な実施形態から得られ、ここでは、明確性を考慮して、同一の構造及び機能を有する構成部品にはそれぞれ同一の参照符号が用いられる。
【図面の簡単な説明】
【００５２】
オーガナイザシステムを形成する表面部材を有する本発明に従って設計されたストレージデバイスの例示的な実施形態が、図面において概略的で単純化された方法で示されており、より詳細に以下に説明される。
【００５３】
【図１】図１は、断面で示されるバッグを有するストレージデバイス、及びオーガナイザシステムを形成する内部空間内に取り付けられた表面部材を、そこに配置されたバッグ部材と共に示す簡略化された３次元図である。
【図２】図２は、孤立した部分において、クラッチ内に折り畳むことができる図１の表面部材の３次元図を示す。
【図３】図３は、クラッチ内に部分的に折り畳まれた状態にある図２の表面部材の３次元図である。
【図４】図４は、クラッチ内に完全に折り畳まれた状態にある図２及び図３の表面部材の３次元図である。
【図５】図５は、ラゲッジの更なるピースとしてのショッピングバッグに取り付けられた状態にある図１〜図４のオーガナイザシステムの３次元図である。
【図６】図６は、オーガナイザシステムを形成する図１〜図５の表面部材を有するコートの内部の断面における図である。
【図７】図７は、孤立した部分において、内容物を持ち上げている状態におけるアクセス器具と共に図１〜図６の表面部材に配置されるバッグ部材の３次元図を示す。
【図８】図８は、持ち上げられた位置にあるアクセス器具のリボンを伴う図７のバッグ部材を断面において示す簡略化された側面図である。
【発明を実施するための形態】
【００５４】
図１〜図８は、オーガナイザシステム２を有する１つのストレージデバイス１又はラゲッジシステムにおけるオーガナイザをそれぞれ示しており、オーガナイザシステム２は、表面部材３と複数のバッグ部材５又は複数の受け入れ器具６とによって形成され、受け入れ器具６は、バッグ部材５、又は個々の機能部材、即ち表面部材３の面に形成されそれらを包囲する更なる容器を有していないアイテム、を受け入れるためのものである。
【００５５】
バッグ部材５の各々は、特定の機能を有する内容物１６に割り当てられ、オーガナイザシステム２全体は、ユーザの個人的なニーズに不可欠なアイテムを有する基本装備を、準備された状態に保つ機能を有する。この場合、基本装備は、携帯電話、クレジットカード、デビットカード、入場カード、現金、キーや、例えば運転免許証、身分証明書等の身分証明書類を含む。ユーザの個々のニーズに対して更なる調整を提供するために、眼鏡、医薬品、化粧品等の小物用の更なるバッグ部材を設けることが有用である。これらのバッグ部材への限定は、特に使用の多用途性に関して有用である。
【００５６】
この場合、表面部材３は柔軟な皮革パッチ１８で作られ、皮革パッチ１８上には、ここでは２つのバッグ部材５が一方の面４上に縫い付けられ又は表面部材３の２つの層の間に縫い付けられており、バッグ部材５は、ジッパーとして具現化された閉鎖器具９によって閉じることができる。更なるバッグ部材７，８が、表面部材３の対応する受け入れ器具６に取り外し可能に又は恒久的に取り付けられており、内容物に応じて、目的にかなうように調整され装備されたバッグ部材を選ぶことができるようになっている。
【００５７】
このように、取り外し可能に取り付けられたバッグ部材７は別個のスリーブであり、特に図７及び図８に見られるように、これらのスリーブは、各々内部空間１５の範囲を定めるために、それぞれ第１の壁１０、反対側の随意的な第２の壁１１、底部領域１２における底壁、及び側壁１３，１４を有している。
【００５８】
表面部材３での保持のため、それぞれのバッグ部材７を閉じるため、及びそれらの内容物１６へのアクセスを容易にするために、バッグ部材７はそれぞれ１つのリボン１７を有している。図示した実施形態では、リボン１７は、表面部材３での取り付けのための保持部材、内容物１６を内部空間１５内に固定するための閉鎖器具１９の部材、及びアクセス器具２０の部材を同時に形成する。
【００５９】
ユーザのための基本装備を備えた表面部材３は、随意的に、要求状況に応じて、ストレージデバイス１の一部を代表する図１に示す例えば旅行用バッグ２１から、例えば図５に示すショッピングバッグ２２等のストレージデバイス１のラゲッジの別のピース内へ、又は図６に見られるコート等の衣類２３のピース内へと移すことができ、またそれらに固定することができる。
【００６０】
表面部材３をラゲッジのピース又は衣類のアイテムの内面又は適用事例によっては外面に取り付けるために、それぞれ１つの保持器具２４が設けられており、保持器具２４は、表面部材３側の２つの保持手段２５とそれぞれのバッグ２１，２２又は衣類２３のピースの側の対応部２６とによって形成されていてよい。図示した実施形態において、保持器具２４が、表面部材３側の保持手段としての通過孔開口２５を有するラッチ接続部、及びバッグ２１，２３又はコート２３側でそれらの保持手段に挿入され得るターンロック部材２６として形成される場合には、保持器具２４を迅速且つ容易に作動させることができ、表面部材３の掛けなおしが特に簡単になる。
【００６１】
パック済みの表面部材３をバッグ２１，２２の壁に固定的に取り付けるための保持手段２５，２６は、表面部材３の下縁３３がバッグ２１，２２の底部領域２７と少なくとも略同一平面となり且つその結果として表面部材及び表面部材に取り付けられた部材がバッグの底に収容されることのないような、バッグ２１，２２の上縁領域２８での底部領域２７からの距離で配置される。従って、パック済みの表面部材３はそれぞれのバッグ２１，２２の内側で吊り下がり、これにより、全体として、表面部材３の基本平面に対して垂直に小さな深さを有するバッグ２１，２２の設計が容易になる。
【００６２】
ユーザのための基本装備を含む表面部材３を特に異なる種類のラゲッジのピース間又は衣類のアイテム間で掛けなおす場合に、可能な限り取り扱いが複雑にならないように表面部材３を設計するために、使用が容易な保持手段２５が２つだけ設けられている。
【００６３】
特に図２〜図４から分かるように、表面部材３は、更なるハンドル又はストラップ部材のないクラッチ等の別個のバッグ３５としても使用することができる。この目的のためには、表面部材３は中央領域２９で折り畳まれてさえいればよく、この場合、中央領域２９には、ペンを受け入れるために設けられる更なるバッグ部材としてペンホルダループ４９が配置される。結果として、側部３１，３２で上縁３０に向かって開くバッグが得られ、言うまでもなく、更なる実施形態においては、側部３１，３２もまたジッパーで閉じることができるように具現化することができる。しかし、全てのバッグ部材５，７，９が個別に閉じられており、従ってそれらの内容物は落下しないように確保されているので、側部３１，３２で開くクラッチ３５の実施形態は問題とはならない。このように、上述の開く設計は、バッグ部材５，７，８の内容物に迅速且つ容易にアクセス可能であるという利点を有する。
【００６４】
表面部材３の上部領域で折り畳まれた状態で表面部材３の底部領域を容易にロックするために、ハングアップ状態を参照して更なる保持手段３４を底縁３３に設けることができ、この保持手段３４は、ターンロック部材としてバッグ２１，２２に設けられた保持手段２６と類似した形態で形成される。クラッチ３５の折り畳まれた状態においては、表面部材の上縁３０で通過孔開口２５にターンロック部材３４を貫通させて、そこでロックすることができる。
【００６５】
表面部材３がクラッチ３５内へと折り畳まれた状態においては、表面部材３に取り付けられたバッグ部材７の一部は、クラッチ３５の内面上で「上下逆」になった配置にあるので、この側に配置されるバッグ部材８には、表面部材３のハングアップ状態に対して上向き及び下向きの２つの取出し用開口３６，３７を設けることが有用であり、これらはそれぞれ、バッグ部材７の閉鎖器具１９の適切な閉鎖部材３８によって固定することができる。図示した実施形態では、閉鎖部材３８はそれぞれ押しボタン部材である。
【００６６】
それぞれのバッグ部材７の閉鎖器具１９を介して、その内容物１６は取出し用開口３６，３７の配置とは無関係に固定されるので、バッグ部材７は、ラゲッジ又は衣類のそれぞれのピースの内側で、垂直に、水平に、横方向に、又は「上下逆」に配置することができる。
【００６７】
図３及び図４における部分的に又は完全に折り畳まれたクラッチ３５の図示では、表面部材３の２つの層の間に形成され表面部材３の主面４からジッパー９を介してアクセス可能なバッグ部材５は、閉じたクラッチ３５の外面からも更なるジッパー４２を介してアクセス可能であることが分かる。
【００６８】
特に図７及び図８から分かるように、リボン１７を用いてバッグ部材７の内部空間１５からアイテムを簡単に取り出すためにアクセス器具２０が具現化されており、即ちアクセス器具２０は、バッグ部材７から外に向いているバッグ部材７の領域内におけるバッグ部材７の底部領域１２の上方でバッグ部材７の壁１０，１１のうち外壁１１にリボン１７が取り付けられ且つ底部領域１２の上方の反対壁１１におけるスリット状開口４０を介して自由端１７Ａを伴ってリボン１７が内部空間１５から外に案内されるように、具現化されている。
【００６９】
リボン１７は、この場合それぞれのバッグ部材７自体と同様に皮革で作られおり、リボン１７の長さ及び案内(guidance)は、図７及び図８に示す状態に従いリボン１７が内部空間１５から引き出されるときに、リボン１７により把持された内容物１６が底部領域１２から持ち上げられると共にバッグ部材７の内部空間１５から部分的に押し出されるように設計される。
【００７０】
バッグ部材７は受け入れ器具６により表面部材３に保持され、この受け入れ器具６を具現化するために、図示した実施形態ではそれぞれ１つのループストラップが設けられており、ループストラップ６は２つの材料スリット(material slits)３８，３９によって表面部材３に形成される。従って、リボン１７は、その自由端１７Ａと共に、スリットとして具現化されたバッグ部材７内の開口４０と表面部材３の材料スリット３８，３９とを介して案内され、リボン１７の自由端１７Ａは、ここでは押しボタン閉鎖具として実現される閉鎖器具１９の閉鎖部材４１を有している。
【００７１】
閉鎖器具１９が閉じた状態においては、リボン１７は、第１の壁１０と第２の壁１１の間で底部領域１２の反対側に位置するバッグ部材７の取出し用開口３６を介して案内されて、内容物１６をバッグ部材７の内部空間１５内の所定位置にロックする。
【００７２】
一方、この目的に適した他の全ての既知の取り付け及び閉鎖手段が、バッグ部材７を表面部材３に取り付けそれぞれのバッグ部材を閉じるために選択されてもよい。
【符号の説明】
【００７３】
１…ストレージデバイス
２…オーガナイザシステム
３…表面部材
４…表面部材の面
５…バッグ部材
６…受け入れ器具、ループストラップ
７…バッグ部材
８…バッグ部材
９…閉鎖器具、ジッパー
１０…第１の壁
１１…第２の壁
１２…底部領域
１３…側壁
１４…側壁
１５…内部空間
１６…内容物
１７…リボン
１７Ａ…自由端
１８…皮革パッチ
１９…閉鎖器具
２０…アクセス器具
２１…ラゲッジのピース、旅行用バッグ
２２…ラゲッジのピース、ショッピングバッグ
２３…衣類のアイテム、コート
２４…保持器具
２５…保持手段、通過孔開口
２６…保持手段、ターンロック部材
２７…ラゲッジのピースの底部領域
２８…ラゲッジのピースの上縁領域
２９…表面部材の中央領域
３０…表面部材の上縁
３１…側部
３２…側部
３３…表面部材の底縁
３４…保持手段
３５…クラッチ
３６…取出し用開口
３７…取出し用開口
３８…材料スリット
３９…材料スリット
４０…スリット状開口
４１…閉鎖部材
４２…ジッパー
４３…バッグ部材、ペンホルダループ
【図１】
2018520751.tif 000003
【図２】
2018520751.tif 000004
【図３】
2018520751.tif 000005
【図４】
2018520751.tif 000006
【図５】
2018520751.tif 000007
【図６】
2018520751.tif 000008
【図７】
2018520751.tif 000009
【図８】
2018520751.tif 000010
【国際調査報告】
2018520751.tif 000011
2018520751.tif 000012
2018520751.tif 000013
2018520751.tif 000014
2018520751.tif 000015
2018520751.tif 000016